(57)【要約】【課題】  ディスク再生装置と外部サーバ（コンテンツプロバイダ）間における通信（データの受け渡し）を、ＡＡＣＳ規格により保護したことにより権利者の同意を得ない複製等のためのアクセスからコンテンツを保護できるコンテンツ再生装置及びネットワークサービスを用いるコンテンツ再生方法を提供する。【解決手段】  この発明は、記録媒体に記録されているコンテンツを再生し、再生により取得したコンテンツにより特定される外部サーバの前段に位置されるプロキシサーバに対して暗号化されたリクエストを送信するとともに、リクエストに対応した外部サーバからのレスポンスがプロキシサーバで暗号化されたレスポンスを受け取り、復号し、復号した外部サーバからのレスポンスに従い、記録媒体に記録されているコンテンツの再生に対して所定の処理を付加することを特徴とするコンテンツ再生方法及びコンテンツ再生装置である。【選択図】  図４
2008278256.tif 000002
【特許請求の範囲】
【請求項１】
記録媒体に記録されているコンテンツを再生するディスクドライブ装置と、
このディスクドライブ装置により再生されたコンテンツにより特定される外部サーバとの間のデータの受け渡しを制御するネットワークコントローラと、
このネットワークコントローラを介し、外部サーバとの間に設けられるプロキシサーバにより復号されたリクエストに対応した外部サーバからのレスポンスであって、プロキシサーバで暗号化されたレスポンスを受け取り、復号するとともに、外部サーバへのリクエストを暗号化するコンテンツ保護デコーダ／エンコーダユニットと、
前記ネットワークコントローラ及び前記コンテンツデコーダ／エンコーダユニットによる外部サーバとの間のリクエスト／レスポンスの受け渡し及び前記コンテンツ保護デコーダ／エンコーダユニットによる復号化（デコード）／暗号化（エンコード）を制御する主制御装置と、
を有することを特徴とするコンテンツ再生装置。
【請求項２】
前記ネットワークコントローラによりアクセスされる上記プロキシサーバ及び上記外部サーバは、前記ディスクドライブ装置により再生される上記コンテンツ内に記述されていることを特徴とする請求項１記載のコンテンツ再生装置。
【請求項３】
前記コンテンツ保護デコーダ／エンコーダユニットによる上記複合化／暗号化に用いる鍵は、上記コンテンツ内部に用意されていることを特徴とする請求項１記載のコンテンツ再生装置。
【請求項４】
ＨＤ  ＤＶＤ−Ｖｉｄｅｏ規格に準拠したコンテンツを再生するディスクドライブ装置と、
このディスクドライブ装置により再生されたコンテンツにより特定される外部サーバとの間のデータの受け渡しを制御するネットワークコントローラと、
このネットワークコントローラを介し、外部サーバとの間に設けられるプロキシサーバにより復号されたリクエストに対応した外部サーバからのレスポンスであって、プロキシサーバで暗号化されたレスポンスを受け取り、復号するとともに、外部サーバへのリクエストを暗号化するＨＤ  ＤＶＤフィルタユニットと、
前記ネットワークコントローラ及び前記ＨＤ  ＤＶＤフィルタユニットによる外部サーバとの間のリクエスト／レスポンスの受け渡し及び前記ＨＤ  ＤＶＤフィルタユニットによるフィルタリングを制御する主制御装置と、
を有することを特徴とするコンテンツ再生装置。
【請求項５】
記録媒体に記録されているコンテンツを再生し、
再生により取得したコンテンツにより特定される外部サーバの前段に位置されるプロキシサーバに対して暗号化されたリクエストを送信するとともに、リクエストに対応した外部サーバからのレスポンスがプロキシサーバで暗号化されたレスポンスを受け取り、復号し、
復号した外部サーバからのレスポンスに従い、記録媒体に記録されているコンテンツの再生に対して所定の処理を付加する
ことを特徴とするコンテンツ再生方法。
【請求項６】
プロキシサーバにおいてリクエストの復号及びレスポンスの暗号化に用いる鍵は、コンテンツに含まれるとともに、プロキシサーバにより保持されることを特徴とする請求項５記載のコンテンツ再生方法。
【請求項７】
プロキシサーバ及び外部サーバは、再生されるコンテンツ内に記述されていることを特徴とする請求項６記載のコンテンツ再生方法。
【請求項８】
プロキシサーバ及び外部サーバが記述されているコンテンツは、ＨＤ  ＤＶＤ規格のアドバンスドコンテンツであることを特徴とする請求項７記載のコンテンツ再生方法。
【請求項９】
外部ネットワーク上に存在するコンテンツプロバイダとの間のデータの受け渡しを制御するネットワークコントローラと、
ＨＤ  ＤＶＤ規格の光ディスクのコンテンツを再生するディスクドライブ装置と、
ＡＡＣＳ規格で保護されたコンテンツとして光ディスクに保持されているディスク供給元が推奨する特定のコンテンツプロバイダへのアクセスにおいて、コンテンツに含まれる鍵を用いて、コンテンツプロバイダが属するサーバの前段に設けられたプロキシサーバとネットワークコントローラとの間のデータの受け渡し時に、ＡＡＣＳ規格により保護されたリクエストの送信及びレスポンスの受信を実行する制御装置と、
を有するディスク再生装置と、
外部ネットワーク上に存在するコンテンツプロバイダと前記ディスク再生装置との間にコンテンツプロバイダと独立に設けられ、前記ディスク再生装置からのＡＡＣＳ規格で暗号化されたリクエストを復号してコンテンツプロバイダに供給するとともに、コンテンツプロバイダからのレスポンスを暗号化して前記ディスク再生装置に供給するプロキシサーバと、
を含むコンテンツ再生システム。
【発明の詳細な説明】
【技術分野】
【０００１】
この発明は、主として動画とオーディオ信号を含み、例えばＤＶＤ規格の光ディスクに代表される記録媒体を介して供給されるコンテンツを再生するコンテンツ再生装置、及びネットワークサービスを用いるコンテンツ再生方法に関する。
【背景技術】
【０００２】
映像コンテンツあるいはオーディオコンテンツを高密度で保持可能な記録媒体として光ディスクが実用化されて久しい。
【０００３】
光ディスクは、テープ状の媒体に比較して、任意の再生位置からのコンテンツの再生が可能で、物理的な大きさに対する記録容量が大きいことから、急速に普及している。
【０００４】
近年、記録されているコンテンツ（情報）の再生に、青色または青紫色の、波長の短いレーザ光を用いることにより、ＨＤ規格の映像データと高品質のサラウンドオーディオデータとを一枚のディスクに保存できる超高密度光ディスク（High Definition Digital Versatile Disc，以下、ＨＤ  ＤＶＤと略称する）も既に実用化されている。
【０００５】
なお、ＨＤ  ＤＶＤ規格の光ディスク（一部のＤＶＤ規格の光ディスクを含む）では、光ディスクに収容されているコンテンツの１つに、ネットワークを介してそのコンテンツの供給元へのアクセスを推奨するアドレスあるいはリンク先情報が含まれている。反面、ＨＤ  ＤＶＤ規格の光ディスクにおいては、権利者の同意を得ない複製等に関し、ネットワーク等で結ばれた機器に対して、ＡＡＣＳ（Advanced access content system）に準拠したコンテンツの保護が実施されている。
【０００６】
特許文献１には、ネットワークを介してプロバイダから供給されるコンテンツに関し、ネイティブなＤＲＭ（Digital Rights Management）に変換する、ＤＲＭ方式の違いが、コンテンツ消費者（ユーザ）に不利益（複数ＤＲＭ対応のコンテンツ再生装置の用意等）をもたらすことのない、変換方法に関する記載がある。
【特許文献１】特表２００５−５１４７１６
【発明の開示】
【発明が解決しようとする課題】
【０００７】
特許文献１には、コンテンツ消費者（ユーザ）に複数ＤＲＭ対応のコンテンツ再生装置の用意を要求する等の不利益をもたらすことがないよう、コンテンツ配信オペレータが属するネットワーク上に一貫したＤＲＭ方式を維持しつつ、消費者に不利益が生じることのないよう、異質のＤＲＭ方式を採用している複数のコンテンツプロバイダとの間のインタフェースに関しての記載があるが、ＨＤ  ＤＶＤ規格のＡＡＣＳに関する記載（展開）は見当たらない。
【０００８】
この発明は、ＡＡＣＳ（Advanced access content system）コンテンツ保護規格を利用するアプリケーションが一般のＷｅｂサービスを利用する場合、ユーザが保持する再生装置とＷｅｂサーバとの間のデータの受け渡しにおいて、権利者の同意を得ない複製等のためのアクセスからコンテンツを保護可能なコンテンツ再生装置及びネットワークサービスを用いるコンテンツ再生方法を提供することにある。
【課題を解決するための手段】
【０００９】
この発明は、上記問題点に基づきなされたもので、記録媒体に記録されているコンテンツを再生するディスクドライブ装置と、このディスクドライブ装置により再生されたコンテンツにより特定される外部サーバとの間のデータの受け渡しを制御するネットワークコントローラと、このネットワークコントローラを介し、外部サーバとの間に設けられるプロキシサーバにより復号されたリクエストに対応した外部サーバからのレスポンスであって、プロキシサーバで暗号化されたレスポンスを受け取り、復号するとともに、外部サーバへのリクエストを暗号化するコンテンツ保護デコーダ／エンコーダユニットと、前記ネットワークコントローラ及び前記コンテンツデコーダ／エンコーダユニットによる外部サーバとの間のリクエスト／レスポンスの受け渡し及び前記コンテンツ保護デコーダ／エンコーダユニットによる復号化（デコード）／暗号化（エンコード）を制御する主制御装置と、を有することを特徴とするコンテンツ再生装置である。
【発明の効果】
【００１０】
発明の実施の形態によれば、ユーザ端末であるディスク再生装置と外部サーバ（コンテンツプロバイダ）間における通信（データの受け渡し）を、ＡＡＣＳ規格により保護したことにより権利者の同意を得ない複製等のためのアクセスからコンテンツを保護できる。すなわち、従来は（特許文献１では）、ＤＲＭ方式毎の変換を行っているが、同じＤＲＭ方式を採用している異なるコンテンツに対しても、同じ暗号（暗号化）・復号（複合化）が行われることになる。本発明は、同じＡＡＣＳという保護方式であっても、コンテンツ間で異なる暗号・復号の鍵を設定できることが新しい部分であり、仮にハッキングが発生した場合でも、一つのコンテンツだけに限定できる。
【００１１】
また、ＡＡＣＳフィルタ（デコーダ／エンコーダ）を、コンテンツプロバイダのサーバと独立に設けたことにより、Ｗｅｂサービスを提供するコンテンツプロバイダの開発負荷を増大させることもない。
【発明を実施するための最良の形態】
【００１２】
以下、この発明の一実施の形態について図面を参照して説明する。
【００１３】
図１は、この発明の実施の形態が適用可能なディスク再生装置の一例を概略的に示す。なお、以下に説明する本発明の実施の形態は、ディスク再生装置にのみ適用されるものではなく、例えばパーソナルコンピュータやビデオカメラ、もしくはビデオプログラムや映像コンテンツ等を再生可能な携帯端末装置においても、適用可能である。また、携帯端末装置やパーソナルコンピュータ、もしくはビデオゲーム端末装置に対して供給可能に取り扱われるプログラムとして販売されることも可能である。
【００１４】
図１に示すディスク再生装置１は、記録媒体、例えばＨＤ規格のＤＶＤディスク（High Definition Digital Versatile Disc，以下、ＨＤ  ＤＶＤと略称する）Ｄがセットされることで、光ディスクＤに収容されている情報を再生することのできるディスクドライブユニット３、パーシステントストレージ（Persistent Storage，以下Ｐ−ストレージと呼称する）として用いられるハードディスクＨＤを含むハードディスクドライブ（ＨＤＤ）ユニット５および、不揮発性メモリである半導体メモリ、例えばフラッシュメモリ７等を有する。
【００１５】
ディスクドライブユニット３、ハードディスクドライブユニット５、フラッシュメモリ７は、ＣＰＵを含む主制御ブロック（Main Control Block）１１に、データバス１３、Ｉ／Ｏコントローラ２１を介して接続されている。また、なお、データバス１３には、メインメモリ（ＳＤＲＡＭ）１５、ネットワークコントローラ１７およびＡＡＣＳデコーダ／エンコーダ１９等が接続されている。
【００１６】
ＨＤ  ＤＶＤディスクＤ、ＨＤＤ５、およびフラッシュメモリ７等に保持されているデータは、周知のパケタイズド゛ストリーム（Packetized stream，以降“ＰＳ”と称する）と呼ばれるデータ形式である。また、詳述しないが、ＨＤ  ＤＶＤレコーダの場合には、ＨＤＤ５の容量が大きく、図示しないテレビチューナ部により受信された地上および衛星からのデジタル放送波等の録画（記録）も可能である。なお、デジタル放送は、ＴＳ（Transport stream，以降“ＴＳ”と称する）形式である。
【００１７】
ＰＳには、映像（ビデオ）と音声（オーディオ）およびその他の制御データが、時分割多重されている。さらに、映像（ビデオ）と音声（オーディオ）は、それぞれ送信すべきデータ量を低減する目的で圧縮された形態で送られてきている。また、データの多くは、ビデオデータであり、例えばＨ．２６４、ＶＣ１またはＭＰＥＧ２と呼ばれる規格により圧縮されている。
【００１８】
Ｉ／Ｏコントローラ２１を介して取り込まれたデータは、データバス１３を介し、ＳＤＲＡＭ（メインメモリ）１５に格納され、再生時には、ストリームパーサ２３に入力される。ストリームパーサ２３に入力されたデータは、映像すなわちビデオ信号と、音楽（音声を含む）すなわちオーディオ信号とに分離され、それぞれに対応するビデオ系デコーダ２５およびオーディオ系デコータ２７により復号される。
【００１９】
復号されたビデオ信号すなわち映像は、出力部２９を通じて、例えば液晶ディスプレイやＣＲＴに代表される表示装置３１において表示可能に、出力される。また、復号されたオーディオ信号すなわち音楽あるいは音声は、出力部２９からスピーカ３３（表示装置に内蔵されている場合もある）に出力される。
【００２０】
ネットワークコントローラ１７は、公衆通信回線あるいはローカルエリアネットワーク（ＬＡＮ）を経由して、外部サーバ（ｗｅｂサイト）やＬＡＮ上の任意数のディスク再生装置との間で、データの受け渡しおよび転送が可能である。
【００２１】
なお、外部サーバとしては、例えばＨＤ  ＤＶＤディスクＤの供給元が展開するｗｅｂサイトや、ディスク供給元が指定もしくは提携する特定の接続先であって、コンテンツを無償あるいは有償で提供する配信サイト（コンテンツプロバイダ）等が含まれる。また、ネットワーク上には、ディスク再生装置１と実質的に同一の機能を含む携帯可能型のディスク再生装置や、例えば家庭内に別の場所に設けられている同形式あるいはＨＤ  ＤＶＤディスクＤを再生可能な別の形式のディスク再生装置が接続可能である。
【００２２】
図１に示したディスク再生装置１においては、市販されているＨＤ  ＤＶＤディスク、すなわちビデオソフトをディスクドライブユニット３にセットして再生する場合、ネットワークコントローラ１７を経由して、光ディスクに収容されているコンテンツの供給元へのアクセスを推奨するアドレスあるいはリンク先情報、として用意されたディスクの供給元のｗｅｂサイト、ならびにディスク供給元が提携する特定の接続先へのアクセスが可能である。
【００２３】
ＨＤ  ＤＶＤディスクに用意されているディスク供給元のｗｅｂサイトへアクセスすることにより、ビデオソフトが製造された後に追加された映像、例えばビデオソフトの購入者への特典として用意されたオリジナルプログラムやビデオソフトには収容されていない別の言語の音声等の付加的なコンテンツを、任意にダウンロードできる。なお、付加的なコンテンツとしては、例えば同じ供給元が供給する他のビデオソフトの案内等である新着案内と呼ばれるコンテンツも存在する。
【００２４】
ダウンロードにより取得した付加的なコンテンツは、例えばＨＤＤユニット５のハードディスクＨＤまたはフラッシュメモリ７に記憶される。
【００２５】
このため、ディスク再生装置において光ディスクを再生する場合に、コンテンツ供給元が提供する付加的なコンテンツをネットワークからダウンロードすることにより、ＨＤ  ＤＶＤディスクに収容されているコンテンツと、同時にまたは。並列に再生可能である。なお、コンテンツ供給元から取得可能な付加的なコンテンツには、有償、すなわちダウンロード毎に料金が要求されるものがある。
【００２６】
ところで、ディスク再生装置１のディスクドライブユニット３にセットされた記録媒体がＨＤ  ＤＶＤディスクである場合、ＨＤ  ＤＶＤディスクに格納されているコンテンツとしては、図２を用いて以下に説明するように、アドバンスドコンテンツ（Advanced Content）と呼ばれるコンテンツ及び図３を用いて以下に説明するように、アドバンスドディレクトリ（Advanced Directory）と呼ばれるコンテンツが含まれている。
【００２７】
図２に示すように、ＨＤ  ＤＶＤ規格の光ディスクは、アドバンスドコンテンツとスタンダード（標準）コンテンツの両方を保存できる。アドバンスドコンテンツのデータタイプとして考えられるものとしては、アドバンスドナビゲーション、アドバンスドエレメント、プライマリビデオセット、セカンダリビデオセットなどがある。
【００２８】
アドバンスドストリーム（Advanced Stream）は、プライマリビデオセット（Primary Video Set）を除く何れかのタイプのアドバンスドコンテンツファイルをアーカイブ化するデータフォーマットである。アドバンスドストリームは、プライマリエンハンスドビデオオブジェクトタイプ２（P-EVOBS-TY2）に多重化され、プライマリビデオプレーヤに供給されるP-EVOBS-TY2データとともに引き出される。
【００２９】
アドバンスドストリームにアーカイブ化され、アドバンスドコンテンツ再生用に必須な同一のファイルは、ファイルとして保存する必要がある。これらの複製されたコピーは、アドバンスドコンテンツの再生を保証するものである。これは、プライマリビデオセットの再生をジャンプしたときに、アドバンスドストリームの供給が完了していないことがあるためである。この場合、指定されたジャンプ位置から再生を再開する前に、必要なファイルが直接ディスクからデータキャッシュ（Data Cache）に読み込まれる。
【００３０】
アドバンスドナビゲーション（Advanced Navigation）：      
アドバンスドナビゲーション（Advanced Navigation）ファイルは、ファイルとして位置づけられる。アドバンスドナビゲーションファイルは、起動シーケンスの間に読み込まれ、アドバンスドコンテンツの再生用に解釈される。
【００３１】
アドバンスドエレメント（Advanced Element）：      
アドバンスドエレメント（Advanced Element）は、ファイルとして位置づけることができ、またP-EVOB-TY2データに多重化されるアドバンスドストリームにアーカイブ化することもできる。
【００３２】
プライマリビデオセット（Primary Video Set(s)）：    
ディスク上にあるプライマリビデオセットは、ただ一つだけである。
【００３３】
セカンダリビデオセット（Secondly Video Set）：    
セカンダリビデオセット（Secondly Video Set）は、ファイルとして位置づけることができ、またP-EVOB-TY2データに多重化されるアドバンスドストリームにアーカイブ化することもできる。
【００３４】
その他のファイル（Other File）：      
アドバンスドコンテンツによっては、その他のファイル（Other File）が用意されている（存在する）こともある。
【００３５】
図３は、図２に示したＨＤ  ＤＶＤディスクに保存されるファイルシステム、すなわち、ディレクトリ（directory）とファイルの構成（file）を説明する概略図である。図３に示すように、アドバンスドコンテンツ用のファイルは、ディレクトリ内に位置づけることが好ましい。
【００３６】
ＨＤ  ＤＶＤ＿ＴＳディレクトリ（HD DVD_TS directory）：      
「ＨＤ  ＤＶＤ＿ＴＳ」ディレクトリ（HD DVD_TS directory）４１は、ルートディレクトリ（Root Derectory）のすぐ下層に規定されている。プライマリビデオセット用の一つのアドバンスドＶＴＳ４２，４３および一つまたは複数の標準ビデオセットが、このディレクトリ以下に定義されている。
【００３７】
ＡＤＶ＿ＯＢＪディレクトリ（Advanced Video_Object）：      
「ＡＤＶ＿ＯＢＪ」ディレクトリ（Advanced Video_Object）４４は、ルートディレクトリ４１のすぐ下にある。アドバンスドナビゲーション（Advanced Navigation）４５に属する起動ファイルは、総てこのディレクトリにある。アドバンスドナビゲーション（Advanced Navigation）４５に加え、アドバンスドエレメント（Advanced Element）４６、セカンダリビデオセット（Primary Video Set(s)）の全ファイルがこのディレクトリにある。
【００３８】
アドバンスドコンテンツ用のその他のディレクトリ（Other Directory for Advanced content）４７：      
「アドバンスドコンテンツ用のその他のディレクトリ」（Other Directory for Advanced content）４７は、「ＡＤＶ＿ＯＢＪ」ディレクトリ以下にのみ存在することができる。アドバンスドナビゲーション４８、アドバンスドエレメント４９、セカンダリビデオセットのファイルであればこのディレクトリに置くことができる。このディレクトリ名はｄ文字とｄ１文字で構成される。「ＡＤＶ＿ＯＢＪ」サブディレクトリの総数（「ＡＤＶ＿ＯＢＪ」ディレクトリを除く）は５１２未満とする。ディレクトリ階層の深さは８またはそれ以下とする。
【００３９】
図２及び図３により説明したＨＤ  ＤＶＤディスクに収容されているコンテンツの中には、コンテンツ供給元が用意したコンテンツの供給元へのアクセスを推奨するアドレスあるいはリンク先情報として用意されたディスクの供給元のｗｅｂサイトならびにディスク供給元が提携する特定の接続先（例えば、Amazon.com等が代表例として知られている）サーバへのアクセスのためのアドレス情報等が含まれている。なお、ＨＤ  ＤＶＤ規格においては、ｗｅｂサイトとの接続あるいはネットワーク上にあるディスク再生装置との間のデータの受け渡しについては、ＡＡＣＳ（Advanced access content system）コンテンツ保護規格に準拠することが求められおり、図４に示すように、ディスク供給元が提携（推奨）する特定の接続先（例えば、Amazon.com等、以下コンテンツプロバイダＡと呼称する）が運営するサーバ４０１へのアクセスのついては、特定の制限あるいはアクセス手順が設定されている。なお、このディスク供給元が提携（推奨）するコンテンツプロバイダＡのサーバへのアクセスのついては、ＡＡＣＳを策定した各社においても、制定されていない部分が存在する。
【００４０】
以下、図５を用いて、ＡＡＣＳに準拠しつつ、ネットワーク上のＷｅｂサービスを利用する場合の、ユーザが保持するディスク再生装置１とＷｅｂサーバとの間のデータの受け渡しにおいて、権利者の同意を得ない複製等のためのアクセスからコンテンツを保護可能なコンテンツ再生方法について、その一例を説明する。
【００４１】
先ず、図４を用いて、ディスク再生装置１と任意のＷｅｂサーバとの間のデータの受け渡しの概略について、説明する。
【００４２】
ディスク再生装置１は、図１に示したように、ネットワークコントローラ１７を介してネットワーク１０１と接続され、インターネット（internet）網の任意のｗｅｂサイトへのアクセスが可能である。反面、ＡＡＣＳで保護されたコンテンツについては、図４に示す通り、コンテンツプロバイダＡ４０１との間に、ＨＴＴＰサーバ４１１とＨＴＴＰ  ＡＡＣＳ  ｐｒｏｘｙ（プロキシ）サーバ４２１を介在させることが必要となる。
【００４３】
すなわち、インターネット（internet）網を介して接続可能なＷｅｂサイトの中には、上述のコンテンツプロバイダＡのように、ＸＭＬ文書等で定義されたスキーマを使用することで、サイト内の情報を自由に引き出せるサービスを提供しているプロバイダが存在する。
【００４４】
一般のＰＣアプリケーションなどから、このサービスを利用する場合、ユーザの要求する内容をＷｅｂサイトが提供するスキーマの形に変形し、Ｗｅｂサイトへ送信するというアプリケーションを記述すればよく、これはよく知られた実装となっている。
【００４５】
しかしながら、図１に示したディスク再生装置１のように、ＨＤ  ＤＶＤ−Ｖｉｄｅｏを再生可能な場合、ＨＤ  ＤＶＤ−Ｖｉｄｅｏ規格、あるいはそのコンテンツ保護規格であるＡＡＣＳ規格からの仕様制約により、通常のＰＣアプリケーションのような実装とはならない。
【００４６】
従って、Ｗｅｂサイトの内容をＨＤ  ＤＶＤコンテンツとして表示する際には、通常のブラウザからの表示フローとは別の、ＨＤ  ＤＶＤコンテンツに独自の処理フローが必要となる。また、上記ＨＤ  ＤＶＤ独自のフローに追加する形で、コンテンツ保護規格であるＡＡＣＳ独自のフローも反映した形で実装されなければならない。
【００４７】
再び、図４を参照すれば、ＨＴＴＰサーバ４１１は、ＨＤ  ＤＶＤ−Ｖｉｄｅｏ規格で定められたアプリケーション仕様では、コンテンツプロバイダＡ４０１のサーバが要求するスキーマを表現できない。そこで、ＨＴＴＰサーバ４１１には、この変換を行うためのフィルタ処理（フィルタリング）が必要となる。一つの形態として、ダウンロードされる（Down loaded）コンテンツは、ＡＡＣＳ規格において、カプセル化（ＡＡＣＳカプセル化）されている。
【００４８】
すなわち、ＡＡＣＳ規格においては、ＨＤ  ＤＶＤ−Ｖｉｄｅｏを再生可能なディスク再生装置１を用い、ネットワーク（インターネット（Internet）網）を経由して、ＸＭＬ文書をやり取りする場合、ＸＭＬ文書そのものがＡＡＣＳにより保護されていることが要求されている。よって、ＨＴＴＰサーバ４１１には、ＡＡＣＳ処理のためのフィルタであるＡＡＣＳ  ｐｒｏｘｙサーバ４２１が必要となる。なお、ＨＴＴＰサーバ４１１とＡＡＣＳ  ｐｒｏｘｙサーバ４２１は、多くの場合スタジオ（Studio）と呼ばれ、コンテンツプロバイダＡ４０１とは、独立して設けられている。
【００４９】
実際のディスク再生装置１とコンテンツプロバイダＡサーバ４０１とのアクセスは、図５に示すように、ＡＡＳＣフィルタ（デコーダ／エンコーダ）を、一体にあるいは独立に含むプロキシサーバ４２１とＨＴＴＰサーバ４１１とを介して、    
［０］ディスク再生装置１内部で、ＨＤ  ＤＶＤ−Ｖｉｄｅｏ規格仕様のＸＭＬ文書を生成し、ＡＡＣＳ暗号化する。    
［１］［０］で生成した文書（ＡＡＣＳ暗号文）がプロキシサーバ４２１へ送信される＜ＨＴＴＰリクエスト（Request）、すなわち問い合わせ（Query）が「ＸＭＬ  ＡＡＣＳ」で、送信される＞。    
［２］プロキシサーバ４２１は、「ＸＭＬ  ＡＡＣＳ」をＡＡＣＳ復号した後、ＸＭＬ文書を解析し、［３］コンテンツプロバイダＡ４０１が要求するＸＭＬ文書形式（平文，plain  textすなわち暗号化されていない一般的な記述）へ変換し、［４］プロキシサーバ４２１へ戻す。
【００５０】
［５］［３］で生成されたＸＭＬ文書（平文）を、コンテンツプロバイダＡ４０１へのアクセスが可能なＨＴＴＰサーバ４１１へ送信する＜ＨＴＴＰリクエスト＞。    
［６］ＨＴＴＰサーバ４１１からのアクセス（リクエスト）に対応して、コンテンツプロバイダＡ４０１から受信したＸＭＬ文書のリクエストに対する結果（例えば、検索結果や関連する推奨コンテンツの紹介）が、［７］ＸＭＬ文書で返信される＜ＨＴＴＰリクエスト（Response）、すなわち応答または回答（Answer）が「ＸＭＬ文書（平文）」で、送信（返信）される＞。
【００５１】
［８］［７］でプロキシサーバ４２１へ返信されたコンテンツプロバイダＡ４０１からの検索結果や推奨コンテンツを紹介する内容である「ＸＭＬ文書（平文）」が、ＡＡＣＳデコーダ／エンコーダにおいて暗号化（ディスク再生装置１が準拠するＨＤ  ＤＶＤ  Ｖｉｄｅｏ規格に合致したＸＭＬＡＡＣＳ形式に変換）され、［９］＜ＨＴＴＰレスポンス＞として、ディスク再生装置１へ戻される。
【００５２】
［１０］ディスク再生装置１は、受信したＸＭＬ文書をＡＡＣＳデコーダ／エンコーダ１９で復号し、ＸＭＬ文書の内容に従い、実行処理を行う。
【００５３】
例えば、＜ＨＴＴＰレスポンス＞としてディスク再生装置１へ戻されたＸＭＬ文書において、ディスク再生装置１にセットされているＨＤ  ＤＶＤディスクＤに収容されているコンテンツに関連のある特典映像等の配信サービスの存在が報告され、ディスク再生装置１を所有するユーザが、その特典映像の取得を希望した場合、    
［１１］ユーザの入力操作によりディスク再生装置１内部で作成されたＨＤ  ＤＶＤ−Ｖｉｄｅｏ規格仕様のＸＭＬ文書がＡＡＣＳ暗号化され、（暗号化された）ＡＡＣＳ暗号文がプロキシサーバ４２１へ送信される＜ＨＴＴＰリクエスト＞。    
［１２］プロキシサーバ４２１は、ＡＡＣＳ暗号文をＡＡＣＳ復号（デコード）し、ＸＭＬ文書を解析し、［１３］コンテンツプロバイダＡ４０１が要求するＸＭＬ文書形式（平文）へ変換し、［１４］プロキシサーバ４２１へ戻す。
【００５４】
［１５］［１３］で生成されたＸＭＬ文書は、コンテンツプロバイダＡ４０１へのアクセスが可能なＨＴＴＰサーバ４１１へ送信される＜ＨＴＴＰリクエスト＞。    
［１６］ＨＴＴＰサーバ４１１からのアクセス（リクエスト）に対応して、コンテンツプロバイダＡ４０１から受信したＸＭＬ文書のリクエストに対する結果（リクエストがあった特典映像のファイル（ＰＮＧファイル）等）が、［１７］ＸＭＬ文書で返信される。
【００５５】
［１８］［１７］でプロキシサーバ４２１へ返信されたコンテンツプロバイダＡ４０１からのＰＮＧファイルが、ＡＡＣＳデコーダ／エンコーダにおいて暗号化（ディスク再生装置１が復号可能なＡＡＣＳパッケージ化）され、［１９］＜ＨＴＴＰレスポンス＞として、ディスク再生装置１へ戻される。    
［２０］ディスク再生装置１は、受信したＸＭＬ文書（ＰＮＧファイル）を、ＡＡＣＳデコーダ／エンコーダ１９で復号し、ＸＭＬ文書の内容に従い、実行処理を行う（この例では、ＰＮＧファイルの展開／表示用信号の出力）。    
なお、図４及び図５により説明した例では、アクセスすべきネットワークサーバ（アクセス先）は、ディスク再生装置１で再生するコンテンツに依存して随時が変更される。すなわち、ＨＤ  ＤＶＤディスクＤのアドバンスドコンテンツとして記述／保持されているアドレス（ネットワークサーバ名）に応じてコンテンツプロバイダＡ４０１へのアクセスが可能となる（ネットワークサーバ名（アクセス先情報）は、コンテンツに一体化されている）。すなわち、プロキシサーバを、ディスク再生装置と独立に設けることにより、コンテンツ（のアドバンス領域の）記述によって指定することによって、コンテンツプロバイダが、それぞれ独自のサーバを運用することができる。
【００５６】
また、ＡＡＣＳ暗号化のための鍵情報は、コンテンツとネットワークサーバ上で共有されており、ディスク再生装置１には、用意されていない。これにより、一層セキュリティが高められる。すなわち、再生装置内部に、鍵を格納する方法に比較して、コンテンツとネットワークサーバとにより鍵を共有することによって、鍵情報がグローバルな秘密情報となることなく、コンテンツプロバイダの責任で運用することが可能となる。
【００５７】
なお、図４および図５に示したネットワーク及びプロキシサーバ４２１を経由したコンテンツプロバイダ４０１との間のＡＡＣＳ暗号化（ＡＡＣＳパッケージ化）されたコンテンツの受け渡しは、メインコントロールブロック（ＣＰＵ）１１のファームウエアであってもよいし、外部から供給され、例えばＨＤＤ５あるいは図示しないプログラムメモリにおいて保持されてもよい。
【００５８】
以上説明したように上記発明の実施の形態によれば、ＡＡＣＳ（Advanced access content system）コンテンツ保護規格を利用するアプリケーションが一般のＷｅｂサービスを利用する場合であっても、ユーザが保持する再生機とＷｅｂサーバとの間のデータの受け渡しにおいて権利者の同意を得ない複製等のためのアクセスからコンテンツを保護可能なコンテンツ再生装置が得られる。また、従来は（特許文献１では）、ＤＲＭ方式毎の変換を行っているが、同じＤＲＭ方式を採用している異なるコンテンツに対しても、同じ暗号（暗号化）・復号（複合化）が行われることになる。本発明は、同じＡＡＣＳという保護方式であっても、コンテンツ間で異なる暗号・復号の鍵を設定できることが新しい部分であり、仮にハッキングが発生した場合でも、一つのコンテンツだけに限定できる。
【００５９】
また、ＨＤ  ＤＶＤ−Ｖｉｄｅｏ規格の光ディスクＤを再生する場合に、ネットワークを介して、ディスクの供給元のｗｅｂサイトに加え、ディスク供給元が提携（推奨）する特定の接続先（コンテンツプロバイダＡ）のサーバへのアクセス及びアクセスにより得られる新たな情報の取得が可能なコンテンツ再生方法が実現できる。なお、ＨＤ  ＤＶＤ−Ｖｉｄｅｏ規格のアプリケーションは、一般のＷｅｂアプリケーションに対して、完全に互換とならない部分を持っているため、非互換部分の処理を、実際にサービスを提供するサーバ自身またはユーザが保持しているディスク再生装置とは独立の、プロキシサーバに分担することで、Ｗｅｂサービスを提供する事業者への開発負荷やディスク再生装置への実装負荷（並びに、それに伴うコストアップ）を減らすことができる。
【００６０】
なお、本発明の内容はここに記述した形態だけに限定されるものではなく、その主旨を逸脱しない範囲で、他にも様々な形態を取り得ることはいうまでもない。また、本発明では、映像表示装置（テレビ受信装置）を例に説明したが、情報記録再生装置すなわちビデオディスクレコーダやパーソナルコンピュータ（ＰＣ）なども含まれることはいうまでもない。なお、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６１】
【図１】この発明の実施の形態が適用可能なディスク再生装置の一例を示す概略図。
【図２】図１に示したディスク再生装置が再生可能なＨＤ  ＤＶＤディスクに保存可能なデータのタイプを説明する概略図。
【図３】図３に示したＨＤ  ＤＶＤディスクに保存されるファイルシステム、すなわち、ディレクトリ（directory）とファイルの構成（file）を説明する概略図。
【図４】図１に示したディスク再生装置と外部サーバとをネットワークを介して接続する概念を説明する概略図。
【図５】図４に示したネットワーク上で外部サーバから取得可能で、ＡＡＣＳ規格で保護されたＨＤ  ＤＶＤ−Ｖｉｄｅｏコンテンツを図１のディスク再生装置により再生させるための一連の手順を説明する概略図。
【符号の説明】
【００６２】
１…ディスク再生装置、３…ディスクドライブユニット、５…ＨＤＤユニット、７…カードスロット、１１…主制御ブロック（ＣＰＵ）、１３…データバス、１５…メインメモリ、１７…ネットワークコントローラ、１９…ＡＡＣＳデコーダ／エンコーダ、２１…Ｉ／Ｏコントローラ、２３…ストリームパーサ、２５…ビデオ系デコーダ、２７…オーディオ系デコータ、２９…出力部、４０１…コンテンツプロバイダ（サーバ）、４１１…ＨＴＴＰサーバ（スタジオ）、４２１…ＡＡＣＳプロキシサーバ（スタジオ）。
【図１】
2008278256.tif 000003
【図２】
2008278256.tif 000004
【図３】
2008278256.tif 000005
【図４】
2008278256.tif 000006
【図５】
2008278256.tif 000007